(57)【要約】  ディスプレイ１１の制御部は、個別にエリアアクティブ駆動を行うときの制御情報Ｐｉを求め、マルチディスプレイ制御部１２に送信する。マルチディスプレイ制御部１２は、受信した制御情報Ｐｉに基づき装置全体の制御情報Ｐｓを求め、ディスプレイ１１の制御部に送信する。すべてのディスプレイ１１は、同じ制御情報Ｐｓに基づきエリアアクティブ駆動を行う。これにより、ディスプレイ１１の表示画面間で輝度差や色度差の発生を防止し、表示画像の画質を改善する。
2012133084.tif 000002
【特許請求の範囲】
【請求項１】
マルチディスプレイ方式の画像表示装置であって、
それぞれが表示パネルと、バックライトと、エリアアクティブ駆動を行う個別制御部とを含む複数の画像表示部と、
前記個別制御部との間で制御情報を送受信する全体制御部とを備え、
前記個別制御部は、個別にエリアアクティブ駆動を行うときの制御情報である個別制御情報を求めて、前記全体制御部に送信し、
前記全体制御部は、前記個別制御部から受信した個別制御情報に基づき装置全体の制御情報である全体制御情報を求めて、前記個別制御部に送信し、
前記個別制御部は、前記全体制御部から受信した全体制御情報に基づき動作することを特徴とする、画像表示装置。
【請求項２】
前記個別制御情報および前記全体制御情報は、前記バックライトの輝度制御に関する情報を含むことを特徴とする、請求項１に記載の画像表示装置。
【請求項３】
前記個別制御情報および前記全体制御情報は、前記バックライトの最低発光輝度を示す最低発光輝度補償値を含み、
前記個別制御部は、前記全体制御部から受信した最低発光輝度補償値に基づき、前記バックライトの発光輝度を補正することを特徴とする、請求項２に記載の画像表示装置。
【請求項４】
前記全体制御部は、前記個別制御部から受信した最低発光輝度補償値の最大値を前記個別制御部に送信することを特徴とする、請求項３に記載の画像表示装置。
【請求項５】
前記個別制御部は、入力画像の平均輝度レベルに基づき、前記全体制御部に送信する最低発光輝度補償値を求めることを特徴とする、請求項３に記載の画像表示装置。
【請求項６】
前記個別制御情報および前記全体制御情報は、前記表示パネルの光透過率制御に関する情報を含むことを特徴とする、請求項１に記載の画像表示装置。
【請求項７】
前記個別制御情報および前記全体制御情報は、前記表示パネルの駆動に用いる表示用データで発生するクリッピングの程度を示すクリッピングスケール値を含み、
前記個別制御部は、前記全体制御部から受信したクリッピングスケール値に基づき、前記表示用データを求めることを特徴とする、請求項６に記載の画像表示装置。
【請求項８】
前記全体制御部は、前記個別制御部から受信したクリッピングスケール値の最大値を前記個別制御部に送信することを特徴とする、請求項７に記載の画像表示装置。
【請求項９】
前記個別制御部は、入力画像に基づく仮の表示用データに基づき、前記全体制御部に送信するクリッピングスケール値を求めることを特徴とする、請求項７に記載の画像表示装置。
【請求項１０】
前記個別制御情報および前記全体制御情報は、前記バックライトの輝度制御に関する情報、および、前記表示パネルの光透過率制御に関する情報の両方を含むことを特徴とする、請求項１に記載の画像表示装置。
【請求項１１】
前記個別制御情報および前記全体制御情報は、前記バックライトの最低発光輝度を示す最低発光輝度補償値、および、前記表示パネルの駆動に用いる表示用データで発生するクリッピングの程度を示すクリッピングスケール値の両方を含み、
前記個別制御部は、前記全体制御部から受信した最低発光輝度補償値に基づき前記バックライトの発光輝度を補正すると共に、前記全体制御部から受信したクリッピングスケール値に基づき前記表示用データを求めることを特徴とする、請求項１０に記載の画像表示装置。
【請求項１２】
それぞれが表示パネルとバックライトと個別制御部とを含む複数の画像表示部と、全体制御部とを用いたマルチディスプレイ方式の画像表示方法であって、
前記個別制御部が、個別にエリアアクティブ駆動を行うときの制御情報である個別制御情報を求めて、前記全体制御部に送信するステップと、
前記全体制御部が、前記個別制御部から受信した個別制御情報に基づき装置全体の制御情報である全体制御情報を求めて、前記個別制御部に送信するステップと、
前記個別制御部が、前記全体制御部から受信した全体制御情報に基づきエリアアクティブ駆動を行うステップとを備えた、画像表示方法。
【発明の詳細な説明】
【技術分野】
【０００１】
本発明は、画像表示装置および画像表示方法に関し、特に、マルチディスプレイ方式の画像表示装置および画像表示方法に関する。
【背景技術】
【０００２】
近年、大型の表示画面を実現するために、複数のディスプレイの表示画面を並べて配置したマルチディスプレイ方式の画像表示装置（以下、マルチディスプレイ装置という）が実用化されている。図１４は、マルチディスプレイ装置の表示画面の例を示す図である。図１４に示す表示画面は、９個のディスプレイＤ１〜Ｄ９の表示画面を縦方向と横方向に３個ずつ並べて配置することにより構成されている。これにより、表示画面のサイズを縦方向と横方向に元のディスプレイの３倍にすることができる。このようなマルチディスプレイ装置は、例えば、店舗における商品紹介、駅や空港などの公共空間における案内情報表示、ハイビジョンテレビ会議システムの映像表示装置などに利用することができる。【０００３】
これとは別に、バックライトを備えた画像表示装置については、バックライトの消費電力を削減し、表示画像の画質を改善する方法として、表示画面を複数のエリアに分割し、エリア内に表示すべき画像に基づきバックライトの輝度を制御しながら、表示パネルを駆動する方法（以下、エリアアクティブ駆動という）が知られている。例えば、特許文献１には、エリアアクティブ駆動を行う画像表示装置において、映像信号から検知した色度信号に応じて、光源ブロックごとに３原色の光の輝度比を個別に制御することが記載されている。
【先行技術文献】
【特許文献】
【０００４】
【特許文献１】日本国特開２００７−３２２９４４号公報
【発明の概要】
【発明が解決しようとする課題】
【０００５】
マルチディスプレイ装置を構成するときにエリアアクティブ駆動を行うディスプレイを用いれば、バックライトの消費電力を削減することができる。しかしながら、特段の工夫を行うことなく複数のディスプレイの表示画面を並べて配置しただけでは、表示画面間に輝度差や色度差が発生するために、マルチディスプレイ装置の表示画面に表示される画像の画質が低下する。【０００６】
それ故に、本発明は、エリアアクティブ駆動を行うマルチディスプレイ方式の画像表示装置において、表示画像の画質を改善することを目的とする。
【課題を解決するための手段】
【０００７】
本発明の第１の局面は、マルチディスプレイ方式の画像表示装置であって、
それぞれが表示パネルと、バックライトと、エリアアクティブ駆動を行う個別制御部とを含む複数の画像表示部と、
前記個別制御部との間で制御情報を送受信する全体制御部とを備え、
前記個別制御部は、個別にエリアアクティブ駆動を行うときの制御情報である個別制御情報を求めて、前記全体制御部に送信し、
前記全体制御部は、前記個別制御部から受信した個別制御情報に基づき装置全体の制御情報である全体制御情報を求めて、前記個別制御部に送信し、
前記個別制御部は、前記全体制御部から受信した全体制御情報に基づき動作することを特徴とする。【０００８】
本発明の第２の局面は、本発明の第１の局面において、
前記個別制御情報および前記全体制御情報は、前記バックライトの輝度制御に関する情報を含むことを特徴とする。【０００９】
本発明の第３の局面は、本発明の第２の局面において、
前記個別制御情報および前記全体制御情報は、前記バックライトの最低発光輝度を示す最低発光輝度補償値を含み、
前記個別制御部は、前記全体制御部から受信した最低発光輝度補償値に基づき、前記バックライトの発光輝度を補正することを特徴とする。【００１０】
本発明の第４の局面は、本発明の第３の局面において、
前記全体制御部は、前記個別制御部から受信した最低発光輝度補償値の最大値を前記個別制御部に送信することを特徴とする。【００１１】
本発明の第５の局面は、本発明の第３の局面において、
前記個別制御部は、入力画像の平均輝度レベルに基づき、前記全体制御部に送信する最低発光輝度補償値を求めることを特徴とする。【００１２】
本発明の第６の局面は、本発明の第１の局面において、
前記個別制御情報および前記全体制御情報は、前記表示パネルの光透過率制御に関する情報を含むことを特徴とする。【００１３】
本発明の第７の局面は、本発明の第６の局面において、
前記個別制御情報および前記全体制御情報は、前記表示パネルの駆動に用いる表示用データで発生するクリッピングの程度を示すクリッピングスケール値を含み、
前記個別制御部は、前記全体制御部から受信したクリッピングスケール値に基づき、前記表示用データを求めることを特徴とする。【００１４】
本発明の第８の局面は、本発明の第７の局面において、
前記全体制御部は、前記個別制御部から受信したクリッピングスケール値の最大値を前記個別制御部に送信することを特徴とする。【００１５】
本発明の第９の局面は、本発明の第７の局面において、
前記個別制御部は、入力画像に基づく仮の表示用データに基づき、前記全体制御部に送信するクリッピングスケール値を求めることを特徴とする。【００１６】
本発明の第１０の局面は、本発明の第１の局面において、
前記個別制御情報および前記全体制御情報は、前記バックライトの輝度制御に関する情報、および、前記表示パネルの光透過率制御に関する情報の両方を含むことを特徴とする。【００１７】
本発明の第１１の局面は、本発明の第１０の局面において、
前記個別制御情報および前記全体制御情報は、前記バックライトの最低発光輝度を示す最低発光輝度補償値、および、前記表示パネルの駆動に用いる表示用データで発生するクリッピングの程度を示すクリッピングスケール値の両方を含み、
前記個別制御部は、前記全体制御部から受信した最低発光輝度補償値に基づき前記バックライトの発光輝度を補正すると共に、前記全体制御部から受信したクリッピングスケール値に基づき前記表示用データを求めることを特徴とする。【００１８】
本発明の第１２の局面は、それぞれが表示パネルとバックライトと個別制御部とを含む複数の画像表示部と、全体制御部とを用いたマルチディスプレイ方式の画像表示方法であって、
前記個別制御部が、個別にエリアアクティブ駆動を行うときの制御情報である個別制御情報を求めて、前記全体制御部に送信するステップと、
前記全体制御部が、前記個別制御部から受信した個別制御情報に基づき装置全体の制御情報である全体制御情報を求めて、前記個別制御部に送信するステップと、
前記個別制御部が、前記全体制御部から受信した全体制御情報に基づきエリアアクティブ駆動を行うステップとを備える。
【発明の効果】
【００１９】
本発明の第１または第１２の局面によれば、画像表示部に含まれる個別制御部は、全体制御部で求めた全体制御情報に基づきエリアアクティブ駆動を行う。これにより、すべての画像表示部において、同じ制御情報に基づきエリアアクティブ駆動を行うことができる。したがって、画像表示部の表示画面間で輝度差や色度差の発生を防止し、マルチディスプレイ方式の画像表示装置において表示画像の画質を改善することができる。【００２０】
本発明の第２の局面によれば、個別制御部は、全体制御部で求めた全体制御情報に基づきバックライトの輝度を制御する。これにより、すべての画像表示部において、同じ制御情報に基づきバックライトの輝度を制御することができる。したがって、画像表示部の表示画面間でバックライトの輝度制御の差に起因する輝度差や色度差の発生を防止し、マルチディスプレイ方式の画像表示装置において表示画像の画質を改善することができる。【００２１】
本発明の第３の局面によれば、個別制御部は、全体制御部で求めた最低発光輝度補償値に基づき、バックライトの発光輝度を補正する。これにより、すべての画像表示部において、バックライトの最低発光輝度を同じにすることができる。したがって、画像表示部の表示画面間でバックライトの最低発光輝度の差に起因する輝度差や色度差の発生を防止し、マルチディスプレイ方式の画像表示装置において表示画像の画質を改善することができる。【００２２】
本発明の第４の局面によれば、全体制御部において、個別制御部で求めた最低発光輝度補償値に基づき、ハロー（表示画面の一部が本来よりも明るくなる現象）が目立ちにくい最低発光輝度補償値を求めることができる。【００２３】
本発明の第５の局面によれば、個別制御部において、入力画像の平均輝度レベルに基づき、好適な最低発光輝度補償値を求めることができる。【００２４】
本発明の第６の局面によれば、個別制御部は、全体制御部で求めた全体制御情報に基づき表示パネルの光透過率を制御する。これにより、すべての画像表示部において、同じ制御情報に基づき表示パネルの光透過率を制御することができる。したがって、画像表示部の表示画面間で表示パネルの光透過率制御の差に起因する輝度差や色度差の発生を防止し、マルチディスプレイ方式の画像表示装置において表示画像の画質を改善することができる。【００２５】
本発明の第７の局面によれば、個別制御部は、全体制御部で求めたクリッピングスケール値に基づき、表示パネルの駆動に用いる表示用データを求める。これにより、すべての画像表示部において、同じクリッピングスケール値を用いて表示用データを求めることができる。したがって、画像表示部の表示画面間でクリッピングスケール値の差に起因する輝度差や色度差の発生を防止し、マルチディスプレイ方式の画像表示装置において表示画像の画質を改善することができる。【００２６】
本発明の第８の局面によれば、全体制御部において、個別制御部で求めたクリッピングスケール値に基づき、クリッピングが発生しにくいクリッピングスケール値を求めることができる。【００２７】
本発明の第９の局面によれば、個別制御部において、入力画像に基づく仮の表示用データに基づき、クリッピングスケール値を求めることができる。【００２８】
本発明の第１０の局面によれば、個別制御部は、全体制御部で求めた全体制御情報に基づきバックライトの輝度と表示パネルの光透過率を制御する。これにより、すべての画像表示部において、同じ制御情報に基づきバックライトの輝度を制御すると共に、同じ制御情報に基づき表示パネルの光透過率を制御することができる。したがって、画像表示部の表示画面間でバックライトの輝度制御や表示パネルの光透過率制御の差に起因する輝度差や色度差の発生を防止し、マルチディスプレイ方式の画像表示装置において表示画像の画質をさらに改善することができる。【００２９】
本発明の第１１の局面によれば、個別制御部は、全体制御部で求めた最低発光輝度補償値に基づきバックライトの発光輝度を補正すると共に、全体制御部で求めたクリッピングスケール値に基づき表示用データを求める。これにより、すべての画像表示部において、バックライトの最低発光輝度を同じにすると共に、同じクリッピングスケール値を用いて表示用データを求めることができる。したがって、画像表示部の表示画面間でバックライトの最低発光輝度やクリッピングスケール値の差に起因する輝度差や色度差の発生を防止し、マルチディスプレイ方式の画像表示装置において表示画像の画質をさらに改善することができる。
【図面の簡単な説明】
【００３０】
【図１】本発明の第１の実施形態に係るマルチディスプレイ装置の構成を示すブロック図である。
【図２】図１に示すマルチディスプレイ装置に含まれるディスプレイの構成を示すブロック図である。
【図３】図１に示すマルチディスプレイ装置に含まれるバックライトの詳細を示す図である。
【図４】図１に示すマルチディスプレイ装置に含まれるエリアアクティブ駆動処理部の詳細を示すブロック図である。
【図５】図１に示すマルチディスプレイ装置に含まれる最低発光輝度補償部とマルチディスプレイ制御部の動作を示すフローチャートである。
【図６】図１に示すマルチディスプレイ装置におけるＡＰＬ値と個別最低発光輝度補償値の関係を示す図である。
【図７Ａ】図１に示すマルチディスプレイ装置の効果を説明するための図である。
【図７Ｂ】図７Ａの続図である。
【図７Ｃ】図７Ｂの続図である。
【図７Ｄ】図７Ｃの続図である。
【図７Ｅ】図７Ｄの続図である。
【図８】本発明の第２の実施形態に係るマルチディスプレイ装置の構成を示すブロック図である。
【図９】図８に示すマルチディスプレイ装置に含まれるエリアアクティブ駆動処理部の詳細を示すブロック図である。
【図１０】図８に示すマルチディスプレイ装置に含まれるクリッピング検出部とマルチディスプレイ制御部の動作を示すフローチャートである。
【図１１Ａ】図８に示すマルチディスプレイ装置の効果を説明するための図である。
【図１１Ｂ】図１１Ａの続図である。
【図１１Ｃ】図１１Ｂの続図である。
【図１１Ｄ】図１１Ｃの続図である。
【図１１Ｅ】図１１Ｄの続図である。
【図１２】本発明の第３の実施形態に係るマルチディスプレイ装置の構成を示すブロック図である。
【図１３】図１２に示すマルチディスプレイ装置に含まれるエリアアクティブ駆動処理部の詳細を示すブロック図である。
【図１４】マルチディスプレイ装置の表示画面の例を示す図である。
【発明を実施するための形態】
【００３１】
（第１の実施形態）
図１は、本発明の第１の実施形態に係るマルチディスプレイ装置の構成を示すブロック図である。図１に示すマルチディスプレイ装置１０は、９個のディスプレイ１１、および、マルチディスプレイ制御部１２を備えている。ディスプレイ１１は、それぞれ表示画面（以下、個別画面という）を有し、個別画面に画像を表示する。９個の個別画面は、縦方向と横方向に３個ずつ並べて配置される。これにより、マルチディスプレイ装置１０の表示画面（以下、全体画面という）が形成される。以下では例として、複数の液晶ディスプレイを備えたマルチディスプレイ装置について説明する。なお、マルチディスプレイ装置に含まれるディスプレイの個数は、２個以上であれば任意でよい。
【００３２】
図２は、ディスプレイ１１の構成を示すブロック図である。図２に示すように、ディスプレイ１１は、液晶パネル１、バックライト２、パネル駆動回路３、バックライト駆動回路４、および、エリアアクティブ駆動処理部１３を含んでいる。ディスプレイ１１は、個別画面を複数のエリアに分割し、エリア内に表示すべき画像に基づきバックライトの輝度を制御しながら、液晶パネル１を駆動するエリアアクティブ駆動を行う。以下、ｍ、ｎ、ｐおよびｑは２以上の整数、ｉは１以上９以下の整数であるとする。
【００３３】
ディスプレイ１１には、Ｒ画像データ、Ｇ画像データおよびＢ画像データを含む入力画像データＸ１が入力される。Ｒ画像データ、Ｇ画像データおよびＢ画像データは、いずれも、表示階調を示す（ｍ×ｎ）個のデータを含んでいる。エリアアクティブ駆動処理部１３は、入力画像データＸ１に基づき、液晶パネル１の駆動に用いる液晶データＸ２と、バックライト２の駆動に用いるＬＥＤデータＸ３とを求める。
【００３４】
液晶パネル１は、（３ｍ×ｎ）個の表示素子５を含んでいる。表示素子５は、行方向（図２では横方向）に３ｍ個ずつ、列方向（図２では縦方向）にｎ個ずつ、全体として２次元状に配置される。表示素子５には、赤色光を透過するＲ表示素子、緑色光を透過するＧ表示素子、および、青色光を透過するＢ表示素子が含まれる。Ｒ表示素子、Ｇ表示素子およびＢ表示素子は、行方向に並べて配置され、３個で１個の画素を形成する。
【００３５】
パネル駆動回路３は、液晶パネル１の駆動回路である。パネル駆動回路３は、エリアアクティブ駆動処理部１３から出力された液晶データＸ２に基づき、液晶パネル１に対して表示素子５の光透過率を制御する信号（電圧信号）を出力する。パネル駆動回路３から出力された電圧は表示素子５内の画素電極（図示せず）に書き込まれ、表示素子５の光透過率は画素電極に書き込まれた電圧に応じて変化する。
【００３６】
バックライト２は、液晶パネル１の背面側に設けられ、液晶パネル１の背面にバックライト光を照射する。図３は、バックライト２の詳細を示す図である。バックライト２は、図３に示すように、（ｐ×ｑ）個のＬＥＤ（Light Emitting Diode）ユニット６を含んでいる。ＬＥＤユニット６は、行方向にｐ個ずつ、列方向にｑ個ずつ、全体として２次元状に配置される。ＬＥＤユニット６は、赤色ＬＥＤ７ｒ、緑色ＬＥＤ７ｇおよび青色ＬＥＤ７ｂを１個ずつ含んでいる。これら３種類のＬＥＤ７から出射された光は、液晶パネル１の背面の一部に当たる。なお、バックライト２は、ＬＥＤユニット６に代えて白色ＬＥＤを含んでいてもよい。
【００３７】
バックライト駆動回路４は、バックライト２の駆動回路である。バックライト駆動回路４は、エリアアクティブ駆動処理部１３から出力されたＬＥＤデータＸ３に基づき、バックライト２に対してＬＥＤ７の輝度を制御する信号（電圧信号または電流信号）を出力する。ＬＥＤ７の輝度は、他のＬＥＤユニット６に含まれるＬＥＤ７の輝度とは独立して制御される。
【００３８】
ディスプレイ１１の個別画面は（ｐ×ｑ）個のエリアに分割され、各エリアには１個のＬＥＤユニット６が対応づけられる。エリアアクティブ駆動処理部１３は、（ｐ×ｑ）個のエリアのそれぞれについて、エリア内の入力画像データＸ１に基づき、当該エリアに対応したＬＥＤユニット６に含まれるＬＥＤ７の輝度を求める。エリアアクティブ駆動処理部１３は、バックライト２に含まれるすべてのＬＥＤ７の輝度を求め、求めた輝度を表すＬＥＤデータＸ３をバックライト駆動回路４に対して出力する。なお、ここでは各エリアに１個のＬＥＤユニット６を対応づけることとしたが、各エリアに複数のＬＥＤユニット６を対応づけてもよい。
【００３９】
また、エリアアクティブ駆動処理部１３は、ＬＥＤデータＸ３に基づき、液晶パネル１に含まれるすべての表示素子５におけるバックライト光の輝度を求める。さらに、エリアアクティブ駆動処理部１３は、入力画像データＸ１とバックライト光の輝度とに基づき、液晶パネル１に含まれるすべての表示素子５の光透過率を求め、求めた光透過率に対応した画素階調を含む液晶データＸ２をパネル駆動回路３に対して出力する。
【００４０】
ディスプレイ１１では、Ｒ表示素子の輝度は、バックライト２から出射された赤色光の輝度とＲ表示素子の光透過率との積になる。１個の赤色ＬＥＤ７ｒから出射された光は、対応する１個のエリアを中心として複数のエリアに当たる。したがって、Ｒ表示素子の輝度は、複数の赤色ＬＥＤ７ｒから出射された光の輝度の合計とＲ表示素子の光透過率との積になる。同様に、Ｇ表示素子の輝度は複数の緑色ＬＥＤ７ｇから出射された光の輝度の合計とＧ表示素子の光透過率との積になり、Ｂ表示素子の輝度は複数の青色ＬＥＤ７ｂから出射された光の輝度の合計とＢ表示素子の光透過率との積になる。
【００４１】
ディスプレイ１１は、入力画像データＸ１に基づき液晶データＸ２とＬＥＤデータＸ３を求め、液晶データＸ２に基づき表示素子５の光透過率を制御すると共に、ＬＥＤデータＸ３に基づきＬＥＤ７の輝度を制御する。これにより、入力画像データＸ１に応じた画像を液晶パネル１に表示することができる。また、エリア内の輝度が小さいときには、当該エリアに対応したＬＥＤ７の輝度を小さくして、バックライト２の消費電力を削減することができる。また、エリア内の輝度が小さいときには、当該エリアに対応した表示素子５の輝度をより少数のレベル間で切り替えることにより、画像の分解能を高め、表示画像の画質を改善することができる。
【００４２】
マルチディスプレイ制御部１２は、９個のディスプレイ１１の外部に設けられる。マルチディスプレイ制御部１２は、各ディスプレイ１１に含まれるエリアアクティブ駆動処理部１３との間で制御情報を送受信する（詳細は後述）。
【００４３】
マルチディスプレイ装置１０において、各ディスプレイ１１は画像表示部として機能し、マルチディスプレイ制御部１２は全体制御部として機能する。また、エリアアクティブ駆動処理部１３は、画像表示部に含まれ、エリアアクティブ駆動を行う個別制御部として機能する。なお、パネル駆動回路３とバックライト駆動回路４を個別制御部に含めてもよい。
【００４４】
図４は、エリアアクティブ駆動処理部１３の詳細を示すブロック図である。図４に示すように、エリアアクティブ駆動処理部１３は、発光輝度算出部１３１、最低発光輝度補償部１３２、表示輝度算出部１３３、および、液晶データ算出部１３４を含んでいる。また、エリアアクティブ駆動処理部１３は、ＬＥＤ７から出射された光が液晶パネル１を透過するときの輝度分布を示す輝度分布データを記憶している。以下の説明では、ＬＥＤ７から出射された光の輝度を発光輝度といい、ＬＥＤ７から出射された光が液晶パネル１を透過するときの輝度を表示輝度という。
【００４５】
発光輝度算出部１３１は、入力画像データＸ１に基づき、バックライト２に含まれるすべてのＬＥＤ７の発光輝度を求める。より詳細には、発光輝度算出部１３１は、（ｐ×ｑ）個のエリアのそれぞれについて、エリア内の入力画像データＸ１の統計値を求め、求めた統計値に基づき当該エリアに対応したＬＥＤ７の発光輝度を求める。発光輝度算出部１３１は、例えば、エリア内の入力画像データＸ１の最大値を求め、求めた最大値に基づきＬＥＤ７の発光輝度を求める。あるいは、発光輝度算出部１３１は、エリア内の入力画像データＸ１の平均値を求め、求めた平均値に基づきＬＥＤ７の発光輝度を求めてもよい。あるいは、発光輝度算出部１３１は、エリア内の入力画像データＸ１の最大値と平均値を求め、これら２個の値に基づきＬＥＤ７の発光輝度を求めてもよい。発光輝度算出部１３１は、１個のＬＥＤユニット６に含まれる３個のＬＥＤ７の発光輝度を同じ値に揃えてもよく、３個のＬＥＤ７の発光輝度を個別に求めてもよい。
【００４６】
最低発光輝度補償部１３２は、発光輝度算出部１３１で求めたＬＥＤ７の発光輝度を補正する。より詳細には、最低発光輝度補償部１３２は、発光輝度算出部１３１で求めたＬＥＤ７の発光輝度がある値（以下、最低発光輝度補償値Ｐｓという）よりも小さいときには、当該発光輝度を最低発光輝度補償値Ｐｓに補正する。最低発光輝度補償部１３２は、補正後の発光輝度を含むＬＥＤデータＸ３を出力する。ＬＥＤデータＸ３は、エリアアクティブ駆動処理部１３からバックライト駆動回路４に出力され、バックライト２の駆動に用いられる。最低発光輝度補償部１３２の動作の詳細は後述する。
【００４７】
表示輝度算出部１３３は、ＬＥＤデータＸ３と輝度分布データに基づき、バックライト２の輝度分布を求める。より詳細には、表示輝度算出部１３３は、輝度分布データを参照して、最低発光輝度補償部１３２で求めた補正後の発光輝度を重畳することにより、バックライト光が液晶パネル１を透過するときの表示輝度をすべての表示素子５について求める。表示輝度算出部１３３は、すべての表示素子５における表示輝度を含む表示輝度データを出力する。
【００４８】
液晶データ算出部１３４は、入力画像データＸ１と表示輝度データに基づき、液晶データＸ２を求める。より詳細には、液晶データ算出部１３４は、入力画像データＸ１に含まれる（３ｍ×ｎ）個のデータを表示輝度データに含まれる（３ｍ×ｎ）個の表示輝度でそれぞれ割ることにより、各表示素子５の光透過率を求める。液晶データ算出部１３４は、表示素子５の光透過率を表示素子５の画素階調に変換し、すべての表示素子５の画素階調を含む液晶データＸ２を出力する。液晶データＸ２は、エリアアクティブ駆動処理部１３からパネル駆動回路３に出力され、液晶パネル１の駆動に用いられる。
【００４９】
以下、図５を参照して、最低発光輝度補償部１３２の動作の詳細を説明する。図５は、最低発光輝度補償部１３２とマルチディスプレイ制御部１２の動作を示すフローチャートである。始めに、最低発光輝度補償部１３２は、個別にエリアアクティブ駆動を行うときの制御情報である個別制御情報として、自分のディスプレイ１１の最低発光輝度補償値（以下、個別最低発光輝度補償値Ｐｉという）を求める（ステップＳ１１１）。より詳細には、最低発光輝度補償部１３２は、発光輝度算出部１３１から、すべてのＬＥＤ７の発光輝度と共に、自分のディスプレイ１１に入力された入力画像データＸ１の輝度の平均値（以下、ＡＰＬ（Average Picture Level ）値という）を受け取る。
【００５０】
図６は、ＡＰＬ値と個別最低発光輝度補償値の関係を示す図である。図６において、横軸はＡＰＬ値を表し、縦軸は個別最低発光輝度補償値Ｐｉを表す。また、ＡＰＬ値の最大値をＭａｘＡ、ＬＥＤ７の発光輝度の最大値をＭａｘＢとする。発光輝度算出部１３１から出力されたＡＰＬ値がＡのとき、最低発光輝度補償部１３２は、次式に従い個別最低発光輝度補償値Ｐｉを求める。
Pi = -(MaxB/2MaxA)×A + MaxB/2  （A≠0のとき）
Pi = 0                          （A＝0のとき）
【００５１】
液晶パネル１は、表示素子５の光透過率を最小にしても、バックライト光を完全に遮断できず、わずかな光を透過させてしまう。エリアアクティブ駆動を行うディスプレイ１１において、入力画像データＸ１の一部に高階調が含まれている場合、高階調のデータを含むエリアに対応したＬＥＤ７だけが高い輝度で発光する。このため、表示画面を暗くするために表示素子５の光透過率を小さくしても、高い輝度で発光するＬＥＤ７から出射された光が液晶パネル１を透過し、表示画面の一部が本来よりも明るくなることがある（この現象はハロー（halo）と呼ばれる）。ハローを目立たなくする方法として、高階調領域と低階調領域でバックライト２の輝度差を小さくする方法が知られている。ＡＰＬ値が低い画像の中には、全体的には低階調であるが、一部だけが高階調である画像が含まれている。このような画像では、ハローが目立ちやすい。そこで、図６に示すように、ＡＰＬ値が小さいときほど、個別最低発光輝度補償値Ｐｉを大きくして、ＬＥＤ７の発光輝度をある程度高くする。これにより、高階調領域と低階調領域でバックライト２の輝度差を小さくし、ハローを目立たなくすることができる。
【００５２】
なお、最低発光輝度補償部１３２は、上記以外の方法で個別最低発光輝度補償値Ｐｉを求めてもよい。例えば、エリアアクティブ駆動処理部１３にＡＰＬ値と個別最低発光輝度補償値Ｐｉの関係を記憶したテーブルを設け、当該テーブルの内容をディスプレイ１１の外部から書き換えてもよい。
【００５３】
次に、最低発光輝度補償部１３２は、ステップＳ１１１で求めた個別最低発光輝度補償値Ｐｉをマルチディスプレイ制御部１２に送信する（ステップＳ１１２）。マルチディスプレイ制御部１２は、すべてのディスプレイ１１の最低発光輝度補償部１３２から個別最低発光輝度補償値Ｐ１〜Ｐ９を受信する（ステップＳ１２１）。
【００５４】
次に、マルチディスプレイ制御部１２は、ステップＳ１２１で受信した個別最低発光輝度補償値Ｐ１〜Ｐ９に基づき、装置全体の制御情報である全体制御情報として、マルチディスプレイ装置１０全体についての最低発光輝度補償値Ｐｓを求める（ステップＳ１２２）。例えば、マルチディスプレイ制御部１２は、個別最低発光輝度補償値Ｐ１〜Ｐ９の最大値を最低発光輝度補償値Ｐｓとする。その理由は、最低発光輝度補償値Ｐｓが大きいほど、ハローが目立たなくなるからである。なお、マルチディスプレイ制御部１２は、個別最低発光輝度補償値Ｐ１〜Ｐ９に基づき、上記以外の方法で最低発光輝度補償値Ｐｓを求めてもよい。
【００５５】
次に、マルチディスプレイ制御部１２は、ステップＳ１２２で求めた最低発光輝度補償値Ｐｓを、すべてのディスプレイ１１の最低発光輝度補償部１３２に送信する（ステップＳ１２３）。各ディスプレイ１１の最低発光輝度補償部１３２は、マルチディスプレイ制御部１２から最低発光輝度補償値Ｐｓを受信する（ステップＳ１３１）。なお、ステップＳ１１２〜Ｓ１３１は、１フレーム期間に１回、例えば９個のディスプレイ１１の垂直帰線期間で同期して実行される。
【００５６】
次に、最低発光輝度補償部１３２は、ステップＳ１３１で受信した最低発光輝度補償値Ｐｓを用いて、ＬＥＤ７の発光輝度を補正する（ステップＳ１３２）。より詳細には、最低発光輝度補償部１３２は、発光輝度算出部１３１で求めたＬＥＤ７の発光輝度が最低発光輝度補償値Ｐｓよりも小さいときには、当該発光輝度を最低発光輝度補償値Ｐｓに補正する。
【００５７】
このようにマルチディスプレイ装置１０では、最低発光輝度補償部１３２は、入力画像のＡＰＬ値に基づき個別最低発光輝度補償値Ｐｉを求め、マルチディスプレイ制御部１２に送信する。マルチディスプレイ制御部１２は、最低発光輝度補償部１３２から受信した個別最低発光輝度補償値Ｐ１〜Ｐ９に基づき最低発光輝度補償値Ｐｓを求め、すべてのディスプレイ１１の最低発光輝度補償部１３２に送信する。最低発光輝度補償部１３２は、マルチディスプレイ制御部１２から受信した最低発光輝度補償値Ｐｓに基づき、ＬＥＤ７の発光輝度を補正する。このようにマルチディスプレイ装置１０では、すべてのディスプレイ１１において、ＬＥＤ７の発光輝度は同じ最低発光輝度補償値Ｐｓを用いて補正される。
【００５８】
以下、マルチディスプレイ制御部を備えず、９個のディスプレイが独立してエリアアクティブ駆動を行うマルチディスプレイ装置（以下、従来のマルチディスプレイ装置という）と対比して、本実施形態に係るマルチディスプレイ装置１０の効果を説明する。以下の説明では、入力画像データＸ１に含まれる最大階調は２５５であり、ＬＥＤ７の発光輝度は２５６段階に制御可能であるとする。また、９個のディスプレイ１１を図１に示すようにＤ１〜Ｄ９と呼ぶ。
【００５９】
図７Ａ〜図７Ｅは、マルチディスプレイ装置１０の効果を説明するための図である。ここでは、従来のマルチディスプレイ装置とマルチディスプレイ装置１０が、図７Ａに示す画像を表示する場合を比較する。図７Ａに示す画像では、０階調の背景の中に２５５階調の小領域（以下、白窓という）が含まれている。
【００６０】
従来のマルチディスプレイ装置の最低発光輝度補償部は、最低発光輝度補償部１３２と同じ方法で個別最低発光輝度補償値を求めるとする。ＡＰＬ値は、ディスプレイＤ１、Ｄ４およびＤ７では０となり、ディスプレイＤ２、Ｄ３、Ｄ５、Ｄ６、Ｄ８およびＤ９では０より少し大きい値となる。このため個別最低発光輝度補償値は、ディスプレイＤ１、Ｄ４、Ｄ７では０となり、ディスプレイＤ２、Ｄ３、Ｄ５、Ｄ６、Ｄ８およびＤ９では１２８となる（図７Ｂを参照）。なお、個別最低発光輝度補償値は、各ディスプレイに含まれるバックライトの輝度の最小値を表す。白窓に含まれるエリアにおけるバックライトの輝度は、白窓の階調に基づき２５５となる。
【００６１】
液晶データ算出部は、背景部分の液晶データを０階調とする。ディスプレイＤ１、Ｄ４およびＤ７では、液晶データは０階調で、バックライトの輝度も０である。このため、ディスプレイＤ１、Ｄ４およびＤ７では、液晶パネルを透過するバックライト光はなく、個別画面は０階調となる（図７Ｃを参照）。これに対して、ディスプレイＤ２、Ｄ３、Ｄ５、Ｄ６、Ｄ８およびＤ９では、液晶データは０階調であるが、バックライトの輝度は１２８であるので、バックライト光の一部が液晶パネルを透過する。このため、ディスプレイＤ２、Ｄ３、Ｄ５、Ｄ６、Ｄ８およびＤ９では、個別画面に含まれる背景部分が０よりも高い階調となり、背景部分は完全な黒にならない（この現象は黒浮きと呼ばれる）。この結果、ディスプレイの個別画面間で輝度差や色度差が発生し、マルチディスプレイ装置の全体画面に表示される画像の画質が低下する。
【００６２】
これに対して、本実施形態に係るマルチディスプレイ装置１０では、最低発光輝度補償部１３２とマルチディスプレイ制御部１２が図５に示す動作を行う。これにより、最低発光輝度補償値Ｐｓとして、図７Ｂに示す９個の値の最大値である１２８が求められる。また、すべてのディスプレイＤ１〜Ｄ９において、バックライト２の発光輝度（ＬＥＤ７の発光輝度）は、同じ最低発光輝度補償値１２８に基づき補正される（図７Ｄを参照）。このため、ディスプレイＤ１、Ｄ４およびＤ７のバックライト２の発光輝度は、ディスプレイＤ２、Ｄ３、Ｄ５、Ｄ６、Ｄ８およびＤ９の場合と同じく１２８となる。したがって、ディスプレイＤ１、Ｄ４およびＤ７の個別画面の輝度は、ディスプレイＤ２、Ｄ３、Ｄ５、Ｄ６、Ｄ８およびＤ９の個別画面に含まれる背景部分の輝度と同じになる（図７Ｅを参照）。よって、ディスプレイ１１の個別画面間で輝度差や色度差の発生を防止し、マルチディスプレイ装置１０の全体画面に表示される画像の画質を改善することができる。
【００６３】
以上に示すように、本実施形態に係るマルチディスプレイ装置１０は、それぞれが液晶パネル１（表示パネル）と、バックライト２と、エリアアクティブ駆動を行うエリアアクティブ駆動処理部１３（個別制御部）とを含む９個のディスプレイ１１（複数の画像表示部）と、エリアアクティブ駆動処理部１３との間で制御情報を送受信するマルチディスプレイ制御部１２（全体制御部）とを備えている。エリアアクティブ駆動処理部１３は、個別制御情報として個別最低発光輝度補償値Ｐｉを求めて、マルチディスプレイ制御部１２に送信する。マルチディスプレイ制御部１２は、エリアアクティブ駆動処理部１３から受信した個別最低発光輝度補償値Ｐ１〜Ｐ９に基づき全体制御情報として最低発光輝度補償値Ｐｓを求めて、エリアアクティブ駆動処理部１３に送信する。エリアアクティブ駆動処理部１３は、マルチディスプレイ制御部１２から受信した最低発光輝度補償値Ｐｓに基づき、バックライト２の発光輝度を補正する。
【００６４】
このように本実施形態に係るマルチディスプレイ装置１０では、エリアアクティブ駆動処理部１３は、マルチディスプレイ制御部１２で求めた最低発光輝度補償値Ｐｓに基づき、バックライト２の発光輝度を補正する。これにより、すべてのディスプレイ１１において、バックライト２の最低発光輝度を同じにすることができる。したがって、ディスプレイ１１の個別画面間でバックライト２の最低発光輝度の差に起因する輝度差や色度差の発生を防止し、マルチディスプレイ装置１０の表示画像の画質を改善することができる。
【００６５】
また、マルチディスプレイ制御部１２は、エリアアクティブ駆動処理部１３から受信した個別最低発光輝度補償値Ｐ１〜Ｐ９の最大値を、エリアアクティブ駆動処理部１３に送信する。これにより、マルチディスプレイ制御部１２において、ハローが目立ちにくい最低発光輝度補償値Ｐｓを求めることができる。また、エリアアクティブ駆動処理部１３は、入力画像のＡＰＬ値に基づき、マルチディスプレイ制御部１２に送信する個別最低発光輝度補償値Ｐｉを求める。これにより、エリアアクティブ駆動処理部１３において、入力画像の平均輝度レベルに基づき好適な個別最低発光輝度補償値Ｐｉを求めることができる。
【００６６】
なお、本実施形態では、エリアアクティブ駆動処理部１３は個別制御情報として個別最低発光輝度補償値Ｐｉを求め、マルチディスプレイ制御部１２は全体制御情報として最低発光輝度補償値Ｐｓを求めることとした。これに代えて、エリアアクティブ駆動処理部は個別制御情報としてバックライトの輝度制御に関する、個別最低発光輝度補償値Ｐｉ以外の情報を求め、マルチディスプレイ制御部は当該情報に対応した全体制御情報を求めてもよい。このように構成されたマルチディスプレイ装置では、エリアアクティブ駆動処理部は、マルチディスプレイ制御部で求めた全体制御情報に基づき、バックライトの輝度を制御する。これにより、すべてのディスプレイにおいて、同じ制御情報に基づきバックライトの輝度を制御することができる。したがって、ディスプレイの表示画面間でバックライトの輝度制御の差に起因する輝度差や色度差の発生を防止し、マルチディスプレイ装置の表示画像の画質を改善することができる。
【００６７】
例えば、バックライトの輝度制御に関する情報の例として、輝度スケーリング値が挙げられる。輝度スケーリング値は、バックライトの発光輝度（ＬＥＤの発光輝度）に乗算される値である。マルチディスプレイ装置では、輝度スケーリング値が複数のディスプレイ間で異なると、最低発光輝度補償値が複数のディスプレイ間で異なる場合と同様の問題が発生する。
【００６８】
そこで、エリアアクティブ駆動処理部は、入力画像データに基づき個別制御情報として個別輝度スケーリング値を求め、求めた個別輝度スケーリング値をマルチディスプレイ制御部に送信する。個別輝度スケーリング値は、入力画像データのＡＰＬ値が大きいほど、小さくなるように決定される。例えば、個別輝度スケーリング値は、ＡＰＬ値が最小値のときには１に、ＡＰＬ値が最大値のときには１より小さい所定値（例えば、０．５）に決定される。マルチディスプレイ制御部は、すべてのエリアアクティブ駆動処理部から受信した個別輝度スケーリング値に基づき、全体制御情報として輝度スケーリング値を求め、求めた輝度スケーリング値をすべてのエリアアクティブ駆動処理部に送信する。マルチディスプレイ制御部は、例えば、受信した個別輝度スケーリング値の最小値を輝度スケーリング値とする。エリアアクティブ駆動処理部は、マルチディスプレイ制御部から受信した輝度スケーリング値をバックライトの発光輝度に乗算する。
【００６９】
このように構成されたマルチディスプレイ装置によれば、すべてのディスプレイにおいて、同じスケーリング値に基づきバックライトの輝度を制御することができる。したがって、ディスプレイの表示画面間でバックライトの輝度スケーリング値の差に起因する輝度差や色度差の発生を防止し、マルチディスプレイ装置の表示画像の画質を改善することができる。
【００７０】
（第２の実施形態）
図８は、本発明の第２の実施形態に係るマルチディスプレイ装置の構成を示すブロック図である。図８に示すマルチディスプレイ装置２０は、９個のディスプレイ２１、および、マルチディスプレイ制御部２２を備えている。ディスプレイ２１は、第１の実施形態に係るディスプレイ１１と同様の構成を有する（図２を参照）。ただし、本実施形態に係るディスプレイ２１は、エリアアクティブ駆動処理部１３に代えて、図９に示すエリアアクティブ駆動処理部２３を含んでいる。本実施形態に係る構成要素のうち、第１の実施形態と同一の要素については、同一の参照符号を付して説明を省略する。
【００７１】
図９は、エリアアクティブ駆動処理部２３の構成を示すブロック図である。図９に示すように、エリアアクティブ駆動処理部２３は、発光輝度算出部１３１、最低発光輝度補償部２３２、表示輝度算出部１３３、液晶データ算出部１３４、クリッピング検出部２３５、および、液晶データ再算出部２３６を含んでいる。また、エリアアクティブ駆動処理部２３は、輝度分布データを記憶している。
【００７２】
発光輝度算出部１３１、最低発光輝度補償部２３２、表示輝度算出部１３３、および、液晶データ算出部１３４は、第１の実施形態と同様に動作する。ただし、最低発光輝度補償部２３２は、図５に示すステップのうち、ステップＳ１１１とＳ１３２だけを実行する。ステップＳ１３２では、最低発光輝度補償部２３２は、ステップＳ１１１で求めた個別最低発光輝度補償値Ｐｉに基づき、ＬＥＤ７の発光輝度を補正する。また、液晶データ算出部１３４で求めた液晶データは、仮の液晶データとしてクリッピング検出部２３５に供給される。
【００７３】
一般に、エリアアクティブ駆動を行うディスプレイでは、バックライトの輝度が不足し、表示素子の光透過率を最大にしても、入力画像データに含まれる最大階調を正しく表現できないことがある。例えば、入力画像データに含まれる最大階調が２５５であるのに、バックライトの輝度不足によって、表示画面では２４０階調までしか表現できないことがある。液晶データ算出部で求めた表示素子の画素階調が画素階調として取り得る最大値（以下、最大画素階調という）を超えたときには、求めた画素階調は最大画素階調に丸められる（この現象はクリッピングと呼ばれる）。クリッピングが発生すると、本来は異なる階調を同じ階調で表示する階調つぶれが発生し、表示画像の画質が低下する。
【００７４】
クリッピング検出部２３５は、液晶データ算出部１３４で求めた液晶データでクリッピングが発生しているか否かを検出する。クリッピング検出部２３５は、クリッピングの程度を示す値（以下、クリッピングスケール値Ｑｓという）を求めて、液晶データ再算出部２３６に出力する。クリッピング検出部２３５の動作の詳細は後述する。
【００７５】
液晶データ再算出部２３６は、入力画像データＸ１、表示輝度算出部１３３で求めた表示輝度データ、および、クリッピング検出部２３５で求めたクリッピングスケール値Ｑｓに基づき、液晶データＸ２を求める。より詳細には、液晶データ再算出部２３６は、入力画像データＸ１に含まれる（３ｍ×ｎ）個のデータを表示輝度データに含まれる（３ｍ×ｎ）個の表示輝度でそれぞれ割り、その結果をさらにクリッピングスケール値Ｑｓで割ることにより、各表示素子５の光透過率を求める。液晶データ再算出部２３６は、表示素子５の光透過率を表示素子５の画素階調に変換し、すべての表示素子５の画素階調を含む液晶データＸ２を出力する。液晶データＸ２は、エリアアクティブ駆動処理部２３からパネル駆動回路３に出力され、液晶パネル１の駆動に用いられる。なお、液晶データ再算出部２３６は、液晶データ算出部１３４で求めた仮の液晶データ、および、クリッピングスケール値Ｑｓに基づき、液晶データＸ２を求めてもよい。
【００７６】
以下、図１０を参照して、クリッピング検出部２３５の動作の詳細を説明する。図１０は、クリッピング検出部２３５とマルチディスプレイ制御部２２の動作を示すフローチャートである。始めに、クリッピング検出部２３５は、液晶データ算出部１３４で求めた仮の液晶データに基づき個別制御情報として、自分のディスプレイ２１のクリッピングスケール値（以下、個別クリッピングスケール値Ｑｉという）を求める（ステップＳ２１１）。より詳細には、クリッピング検出部２３５は、液晶データ算出部１３４で求めた表示素子５の画素階調の最大値を最大画素階調で割った値を、個別クリッピングスケール値Ｑｉとする。なお、クリッピング検出部２３５は、上記以外の方法で個別クリッピングスケール値Ｑｉを求めてもよい。
【００７７】
次に、クリッピング検出部２３５は、ステップＳ２１１で求めた個別クリッピングスケール値Ｑｉをマルチディスプレイ制御部２２に送信する（ステップＳ２１２）。マルチディスプレイ制御部２２は、すべてのディスプレイ２１のクリッピング検出部２３５から個別クリッピングスケール値Ｑ１〜Ｑ９を受信する（ステップＳ２２１）。
【００７８】
次に、マルチディスプレイ制御部２２は、ステップＳ２２１で受信した個別クリッピングスケール値Ｑ１〜Ｑ９に基づき全体制御情報として、マルチディスプレイ装置２０全体についてのクリッピングスケール値Ｑｓを求める（ステップＳ２２２）。例えば、マルチディスプレイ制御部２２は、個別クリッピングスケール値Ｑ１〜Ｑ９の最大値をクリッピングスケール値Ｑｓとする。その理由は、クリッピングスケール値Ｑｓが大きいほど、クリッピングが発生しにくいからである。なお、マルチディスプレイ制御部２２は、個別クリッピングスケール値Ｑ１〜Ｑ９に基づき、上記以外の方法でクリッピングスケール値Ｑｓを求めてもよい。
【００７９】
次に、マルチディスプレイ制御部２２は、ステップＳ２２２で求めたクリッピングスケール値Ｑｓを、すべてのディスプレイ２１のクリッピング検出部２３５に送信する（ステップＳ２２３）。各ディスプレイ２１のクリッピング検出部２３５は、マルチディスプレイ制御部２２からクリッピングスケール値Ｑｓを受信する（ステップＳ２３１）。次に、クリッピング検出部２３５は、ステップＳ２３１で受信したクリッピングスケール値Ｑｓを液晶データ再算出部２３６に出力する（ステップＳ２３２）。なお、ステップＳ２１２〜Ｓ２３１は、１フレーム期間に１回、例えば９個のディスプレイ２１の垂直帰線期間で同期して実行される。
【００８０】
このようにマルチディスプレイ装置２０では、クリッピング検出部２３５は、仮の液晶データに基づき個別クリッピングスケール値Ｑｉを求め、マルチディスプレイ制御部２２に送信する。マルチディスプレイ制御部２２は、クリッピング検出部２３５から受信した個別クリッピングスケール値Ｑ１〜Ｑ９に基づきクリッピングスケール値Ｑｓを求め、すべてのディスプレイ２１のクリッピング検出部２３５に送信する。クリッピング検出部２３５は、マルチディスプレイ制御部２２から受信したクリッピングスケール値Ｑｓを液晶データ再算出部２３６に出力する。液晶データ再算出部２３６は、クリッピングスケール値Ｑｓに基づき液晶データＸ２を求める。このようにマルチディスプレイ装置２０では、すべてのディスプレイ２１において、液晶データＸ２は同じクリッピングスケール値Ｑｓを用いて求められる。
【００８１】
以下、従来のマルチディスプレイ装置と対比して、本実施形態に係るマルチディスプレイ装置２０の効果を説明する。図１１Ａ〜図１１Ｅは、マルチディスプレイ装置２０の効果を説明するための図である。ここでは、従来のマルチディスプレイ装置とマルチディスプレイ装置２０が、図１１Ａに示す画像を表示する場合を比較する。図１１Ａに示す画像では、３２階調の背景の中に２００階調の白窓が含まれている。
【００８２】
従来のマルチディスプレイ装置のクリッピング検出部は、クリッピング検出部２３５と同じ方法で個別クリッピングスケール値を求めるとする。ここでは、個別クリッピングスケール値は、ディスプレイＤ１、Ｄ４およびＤ７では１で、ディスプレイＤ２、Ｄ３、Ｄ５、Ｄ６、Ｄ８およびＤ９では１．２であるとする（図１１Ｂを参照）。ディスプレイＤ１、Ｄ４およびＤ７ではクリッピングは発生していないが、ディスプレイＤ２、Ｄ３、Ｄ５、Ｄ６、Ｄ８およびＤ９ではクリッピングが発生している。
【００８３】
液晶データ再算出部は、入力画像データに含まれるデータを表示輝度データに含まれる表示輝度でそれぞれ割り、その結果をさらに個別クリッピングスケール値で割る。ディスプレイＤ１、Ｄ４およびＤ７では、個別クリッピングスケール値が１であるので、個別クリッピングスケール値で割っても値は変化しない。このため、ディスプレイＤ１、Ｄ４およびＤ７の個別画面には、３２階調が正しく表示される（図１１Ｃを参照）。ディスプレイＤ２、Ｄ３、Ｄ５、Ｄ６、Ｄ８およびＤ９では、個別クリッピングスケール値が１．２であるので、個別クリッピングスケール値で割ると値は小さくなる。このため、ディスプレイＤ２、Ｄ３、Ｄ５、Ｄ６、Ｄ８およびＤ９の個別画面には、３２よりも低い階調（３２／１．２階調）と２００よりも低い階調（２００／１．２階調）とが表示される。この結果、ディスプレイの個別画面間で輝度差や色度差が発生し、マルチディスプレイ装置の全体画面に表示される画像の画質が低下する。
【００８４】
これに対して、本実施形態に係るマルチディスプレイ装置２０では、クリッピング検出部２３５とマルチディスプレイ制御部２２が図１０に示す動作を行う。これにより、クリッピングスケール値Ｑｓとして、図１１Ｂに示す９個の値の最大値である１．２が求められる。また、すべてのディスプレイＤ１〜Ｄ９において、液晶データＸ２は同じクリッピングスケール値１．２に基づき求められる（図１１Ｄを参照）。このため、ディスプレイＤ１、Ｄ４およびＤ７における液晶データＸ２は、ディスプレイＤ２、Ｄ３、Ｄ５、Ｄ６、Ｄ８およびＤ９の場合と同じく、クリッピングスケール値１．２で割った値となる。したがって、ディスプレイＤ１、Ｄ４およびＤ７の個別画面の輝度は、ディスプレイＤ２、Ｄ３、Ｄ５、Ｄ６、Ｄ８およびＤ９の個別画面に含まれる背景部分の輝度と同じになる（図１１Ｅを参照）。よって、ディスプレイ２１の個別画面間で輝度差や色度差の発生を防止し、マルチディスプレイ装置２０の全体画面に表示される画像の画質を改善することができる。
【００８５】
以上に示すように、本実施形態に係るマルチディスプレイ装置２０は、第１の実施形態に係るマルチディスプレイ装置１０と同様の構成を有する。エリアアクティブ駆動処理部２３は、個別制御情報として個別クリッピングスケール値Ｑｉを求めて、マルチディスプレイ制御部２２に送信する。マルチディスプレイ制御部２２は、エリアアクティブ駆動処理部２３から受信した個別クリッピングスケール値Ｑ１〜Ｑ９に基づき全体制御情報としてクリッピングスケール値Ｑｓを求めて、エリアアクティブ駆動処理部２３に送信する。エリアアクティブ駆動処理部２３は、マルチディスプレイ制御部２２から受信したクリッピングスケール値Ｑｓに基づき、液晶データＸ２（表示用データ）を求める。
【００８６】
このように本実施形態に係るマルチディスプレイ装置２０では、エリアアクティブ駆動処理部２３は、マルチディスプレイ制御部２２で求めたクリッピングスケール値Ｑｓに基づき、液晶データＸ２を求める。これにより、すべてのディスプレイ２１において、同じクリッピングスケール値Ｑｓを用いて液晶データＸ２を求めることができる。したがって、ディスプレイ２１の表示画面間でクリッピングスケール値の差に起因する輝度差や色度差の発生を防止し、マルチディスプレイ装置２０の表示画像の画質を改善することができる。
【００８７】
また、マルチディスプレイ制御部２２は、エリアアクティブ駆動処理部２３から受信した個別クリッピングスケール値Ｑ１〜Ｑ９の最大値を、エリアアクティブ駆動処理部２３に送信する。これにより、マルチディスプレイ制御部２２において、クリッピングが発生しにくいクリッピングスケール値Ｑｓを求めることができる。また、エリアアクティブ駆動処理部２３は、入力画像に基づく仮の液晶データ（仮の表示用データ）に基づき、マルチディスプレイ制御部２２に送信する個別クリッピングスケール値Ｑｉを求める。これにより、エリアアクティブ駆動処理部２３において、個別クリッピングスケール値Ｑｉを求めることができる。
【００８８】
なお、本実施形態では、エリアアクティブ駆動処理部２３は個別制御情報として個別クリッピングスケール値Ｑｉを求め、マルチディスプレイ制御部２２は全体制御情報としてクリッピングスケール値Ｑｓを求めることとした。これに代えて、エリアアクティブ駆動処理部は個別制御情報として、液晶パネルの光透過率制御に関する、個別クリッピングスケール値Ｑｉ以外の情報を求め、マルチディスプレイ制御部は当該情報に対応した全体制御情報を求めてもよい。このように構成されたマルチディスプレイ装置では、エリアアクティブ駆動処理部は、マルチディスプレイ制御部で求めた全体制御情報に基づき、液晶パネルの光透過率を制御する。これにより、すべてのディスプレイにおいて、同じ制御情報に基づき液晶パネルの光透過率を制御することができる。したがって、ディスプレイの表示画面間で液晶パネルの光透過率制御の差に起因する輝度差や色度差の発生を防止し、マルチディスプレイ装置の表示画像の画質を改善することができる。
【００８９】
（第３の実施形態）
図１２は、本発明の第３の実施形態に係るマルチディスプレイ装置の構成を示すブロック図である。図１２に示すマルチディスプレイ装置３０は、９個のディスプレイ３１、および、マルチディスプレイ制御部３２を備えている。ディスプレイ３１は、第１の実施形態に係るディスプレイ１１と同様の構成を有する（図２を参照）。ただし、本実施形態に係るディスプレイ３１は、エリアアクティブ駆動処理部１３に代えて、図１３に示すエリアアクティブ駆動処理部３３を含んでいる。本実施形態に係る構成要素のうち、第１および第２の実施形態と同一の要素については、同一の参照符号を付して説明を省略する。
【００９０】
図１３は、エリアアクティブ駆動処理部３３の構成を示すブロック図である。図１３に示すように、エリアアクティブ駆動処理部３３は、発光輝度算出部１３１、最低発光輝度補償部１３２、表示輝度算出部１３３、液晶データ算出部１３４、クリッピング検出部２３５、および、液晶データ再算出部２３６を含んでいる。また、エリアアクティブ駆動処理部３３は、輝度分布データを記憶している。
【００９１】
発光輝度算出部１３１、最低発光輝度補償部１３２、表示輝度算出部１３３、および、液晶データ算出部１３４は、第１の実施形態と同様に動作する。クリッピング検出部２３５と液晶データ再算出部２３６は、第２の実施形態と同様に動作する。マルチディスプレイ制御部３２は、第１の実施形態に係るマルチディスプレイ制御部１２の動作と、第２の実施形態に係るマルチディスプレイ制御部２２の動作の両方を行う。より詳細には、マルチディスプレイ制御部３２は、まずステップＳ１２１〜Ｓ１２３（図５）を実行し、次にステップＳ２２１〜Ｓ２２３（図１０）を実行する。
【００９２】
以上に示すように、本実施形態に係るマルチディスプレイ装置３０は、第１および第２の実施形態に係るマルチディスプレイ装置１０、２０と同様の構成を有する。エリアアクティブ駆動処理部３３は、個別制御情報として個別最低発光輝度補償値Ｐｉと個別クリッピングスケール値Ｑｉを求めて、マルチディスプレイ制御部３２に送信する。マルチディスプレイ制御部３２は、エリアアクティブ駆動処理部３３から受信した個別最低発光輝度補償値Ｐ１〜Ｐ９と個別クリッピングスケール値Ｑ１〜Ｑ９に基づき、全体制御情報として最低発光輝度補償値Ｐｓとクリッピングスケール値Ｑｓを求めて、エリアアクティブ駆動処理部３３に送信する。エリアアクティブ駆動処理部３３は、マルチディスプレイ制御部３２から受信した最低発光輝度補償値Ｐｓに基づき、バックライト２の発光輝度を補正すると共に、マルチディスプレイ制御部３２から受信したクリッピングスケール値Ｑｓに基づき、液晶データＸ２を求める。
【００９３】
このように本実施形態に係るマルチディスプレイ装置３０では、エリアアクティブ駆動処理部３３は、マルチディスプレイ制御部３２で求めた最低発光輝度補償値Ｐｓに基づきバックライト２の発光輝度を補正すると共に、マルチディスプレイ制御部３２で求めたクリッピングスケール値Ｑｓに基づき液晶データＸ２を求める。したがって、すべてのディスプレイ３１において、バックライト２の最低発光輝度を同じにすると共に、同じクリッピングスケール値Ｑｓを用いて液晶データＸ２を求めることができる。したがって、ディスプレイ３１の表示画面間で最低発光輝度補償値やクリッピングスケール値の差に起因する輝度差や色度差の発生を防止し、マルチディスプレイ装置３０の表示画像の画質をさらに改善することができる。
【００９４】
なお、本実施形態では、エリアアクティブ駆動処理部３３は個別制御情報として個別最低発光輝度補償値Ｐｉと個別クリッピングスケール値Ｑｉを求め、マルチディスプレイ制御部３２は全体制御情報として最低発光輝度補償値Ｐｓとクリッピングスケール値Ｑｓを求めることとした。これに代えて、エリアアクティブ駆動処理部は個別制御情報としてバックライトの輝度制御に関する、個別最低発光輝度補償値Ｐｉ以外の情報を求めると共に、液晶パネルの光透過率制御に関する、個別クリッピングスケール値Ｑｉ以外の情報を求め、マルチディスプレイ制御部はこれらの情報に対応した全体制御情報を求めてもよい。このように構成されたマルチディスプレイ装置では、エリアアクティブ駆動処理部は、マルチディスプレイ制御部で求めた全体制御情報に基づき、バックライトの輝度と液晶パネルの光透過率を制御する。これにより、すべてのディスプレイにおいて、同じ制御情報に基づきバックライトの輝度を制御すると共に、同じ制御情報に基づき液晶パネルの光透過率を制御することができる。したがって、ディスプレイの表示画面間でバックライトの輝度制御や液晶パネルの光透過率制御の差に起因する輝度差や色度差の発生を防止し、マルチディスプレイ装置の表示画像の画質をさらに改善することができる。
【００９５】
また、第１〜第３の実施形態では、マルチディスプレイ制御部をディスプレイの外部に設けることとしたが、マルチディスプレイ制御部を各ディスプレイに内蔵させてもよい。この場合、複数のディスプレイに含まれる複数のマルチディスプレイ制御部のうち１個だけを動作させる方法と、複数を動作させる方法とが考えられる。前者の方法を実現するためには、複数のマルチディスプレイ制御部のうち１個だけが動作し、残余は動作しないように設定すればよい。後者の方法を実現するためには、第１〜第３の実施形態に係るマルチディスプレイ制御部と同じ機能を果たすように、複数のマルチディスプレイ制御部を協調動作させればよい。
【産業上の利用可能性】
【００９６】
本発明の画像表示装置は、画像表示部の表示画面間で輝度差や色度差の発生を防止し、表示画像の画質を改善できるという特徴を有するので、複数の液晶ディスプレイを備えた画像表示装置など、各種のマルチディスプレイ方式の画像表示装置に利用することができる。
【符号の説明】
【００９７】
１…液晶パネル
２…バックライト
３…パネル駆動回路
４…バックライト駆動回路
５…表示素子
６…ＬＥＤユニット
７…ＬＥＤ
１０、２０、３０…マルチディスプレイ装置
１１、２１、３１…ディスプレイ
１２、２２、３２…マルチディスプレイ制御部
１３、２３、３３…エリアアクティブ駆動処理部
１３１…発光輝度算出部
１３２、２３２…最低発光輝度補償部
１３３…表示輝度算出部
１３４…液晶データ算出部
２３５…クリッピング検出部
２３６…液晶データ再算出部
【図１】
2012133084.tif 000003
【図２】
2012133084.tif 000004
【図３】
2012133084.tif 000005
【図４】
2012133084.tif 000006
【図５】
2012133084.tif 000007
【図６】
2012133084.tif 000008
【図７Ａ】
2012133084.tif 000009
【図７Ｂ】
2012133084.tif 000010
【図７Ｃ】
2012133084.tif 000011
【図７Ｄ】
2012133084.tif 000012
【図７Ｅ】
2012133084.tif 000013
【図８】
2012133084.tif 000014
【図９】
2012133084.tif 000015
【図１０】
2012133084.tif 000016
【図１１Ａ】
2012133084.tif 000017
【図１１Ｂ】
2012133084.tif 000018
【図１１Ｃ】
2012133084.tif 000019
【図１１Ｄ】
2012133084.tif 000020
【図１１Ｅ】
2012133084.tif 000021
【図１２】
2012133084.tif 000022
【図１３】
2012133084.tif 000023
【図１４】
2012133084.tif 000024
【手続補正書】
【提出日】平成25年8月22日(2013.8.22)
【手続補正１】
【補正対象書類名】明細書
【補正対象項目名】０００７
【補正方法】変更
【補正の内容】
【０００７】
本発明の第１の局面は、マルチディスプレイ方式の画像表示装置であって、
それぞれが表示パネルと、バックライトと、エリアアクティブ駆動を行う個別制御部とを含む複数の画像表示部と、
前記個別制御部との間で制御情報を送受信する全体制御部とを備え、
前記個別制御部は、個別にエリアアクティブ駆動を行うときの制御情報である個別制御情報を求めて、前記全体制御部に送信し、
前記全体制御部は、前記個別制御部から受信した個別制御情報に基づき装置全体の制御情報である全体制御情報を求めて、前記個別制御部に送信し、
前記個別制御部は、前記全体制御部から受信した全体制御情報に基づき動作し、
前記個別制御情報および前記全体制御情報は、前記バックライトの輝度制御に関する情報として、前記バックライトの最低発光輝度を示す最低発光輝度補償値を含み、
前記個別制御部は、前記全体制御部から受信した最低発光輝度補償値に基づき、前記バックライトの発光輝度を補正することを特徴とする。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
本発明の第２の局面は、本発明の第１の局面において、
前記全体制御部は、前記個別制御部から受信した最低発光輝度補償値の最大値を前記個別制御部に送信することを特徴とする。
【手続補正５】
【補正対象書類名】明細書
【補正対象項目名】００１１
【補正方法】変更
【補正の内容】
【００１１】
本発明の第３の局面は、本発明の第１の局面において、
前記個別制御部は、入力画像の平均輝度レベルに基づき、前記全体制御部に送信する最低発光輝度補償値を求めることを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
本発明の第４の局面は、それぞれが表示パネルとバックライトと個別制御部とを含む複数の画像表示部と、全体制御部とを用いたマルチディスプレイ方式の画像表示方法であって、
前記個別制御部が、個別にエリアアクティブ駆動を行うときの制御情報である個別制御情報を求めて、前記全体制御部に送信するステップと、
前記全体制御部が、前記個別制御部から受信した個別制御情報に基づき装置全体の制御情報である全体制御情報を求めて、前記個別制御部に送信するステップと、
前記個別制御部が、前記全体制御部から受信した全体制御情報に基づきエリアアクティブ駆動を行うステップとを備え、
前記個別制御情報および前記全体制御情報は、前記バックライトの輝度制御に関する情報として、前記バックライトの最低発光輝度を示す最低発光輝度補償値を含み、
前記エリアアクティブ駆動を行うステップにおいて、前記個別制御部は、前記全体制御部から受信した最低発光輝度補償値に基づき、前記バックライトの発光輝度を補正することを特徴とする。
【手続補正１３】
【補正対象書類名】明細書
【補正対象項目名】００１９
【補正方法】変更
【補正の内容】
【００１９】
本発明の第１または第４の局面によれば、画像表示部に含まれる個別制御部は、全体制御部で求めた全体制御情報に基づきエリアアクティブ駆動を行う。これにより、すべての画像表示部において、同じ制御情報に基づきエリアアクティブ駆動を行うことができる。したがって、画像表示部の表示画面間で輝度差や色度差の発生を防止し、マルチディスプレイ方式の画像表示装置において表示画像の画質を改善することができる。
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】変更
【補正の内容】
【００２１】
特に、個別制御部は、全体制御部で求めた最低発光輝度補償値に基づき、バックライトの発光輝度を補正する。これにより、すべての画像表示部において、バックライトの最低発光輝度を同じにすることができる。したがって、画像表示部の表示画面間でバックライトの最低発光輝度の差に起因する輝度差や色度差の発生を防止し、マルチディスプレイ方式の画像表示装置において表示画像の画質を改善することができる。
【手続補正１６】
【補正対象書類名】明細書
【補正対象項目名】００２２
【補正方法】変更
【補正の内容】
【００２２】
本発明の第２の局面によれば、全体制御部において、個別制御部で求めた最低発光輝度補償値に基づき、ハロー（表示画面の一部が本来よりも明るくなる現象）が目立ちにくい最低発光輝度補償値を求めることができる。
【手続補正１７】
【補正対象書類名】明細書
【補正対象項目名】００２３
【補正方法】変更
【補正の内容】
【００２３】
本発明の第３の局面によれば、個別制御部において、入力画像の平均輝度レベルに基づき、好適な最低発光輝度補償値を求めることができる。
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】変更
【補正の内容】
【００３０】
【図１】本発明の第１の実施形態に係るマルチディスプレイ装置の構成を示すブロック図である。
【図２】図１に示すマルチディスプレイ装置に含まれるディスプレイの構成を示すブロック図である。
【図３】図１に示すマルチディスプレイ装置に含まれるバックライトの詳細を示す図である。
【図４】図１に示すマルチディスプレイ装置に含まれるエリアアクティブ駆動処理部の詳細を示すブロック図である。
【図５】図１に示すマルチディスプレイ装置に含まれる最低発光輝度補償部とマルチディスプレイ制御部の動作を示すフローチャートである。
【図６】図１に示すマルチディスプレイ装置におけるＡＰＬ値と個別最低発光輝度補償値の関係を示す図である。
【図７Ａ】図１に示すマルチディスプレイ装置の効果を説明するための図である。
【図７Ｂ】図７Ａの続図である。
【図７Ｃ】図７Ｂの続図である。
【図７Ｄ】図７Ｃの続図である。
【図７Ｅ】図７Ｄの続図である。
【図８】参考例に係るマルチディスプレイ装置の構成を示すブロック図である。
【図９】図８に示すマルチディスプレイ装置に含まれるエリアアクティブ駆動処理部の詳細を示すブロック図である。
【図１０】図８に示すマルチディスプレイ装置に含まれるクリッピング検出部とマルチディスプレイ制御部の動作を示すフローチャートである。
【図１１Ａ】図８に示すマルチディスプレイ装置の効果を説明するための図である。
【図１１Ｂ】図１１Ａの続図である。
【図１１Ｃ】図１１Ｂの続図である。
【図１１Ｄ】図１１Ｃの続図である。
【図１１Ｅ】図１１Ｄの続図である。
【図１２】本発明の第２の実施形態に係るマルチディスプレイ装置の構成を示すブロック図である。
【図１３】図１２に示すマルチディスプレイ装置に含まれるエリアアクティブ駆動処理部の詳細を示すブロック図である。
【図１４】マルチディスプレイ装置の表示画面の例を示す図である。
【手続補正２５】
【補正対象書類名】明細書
【補正対象項目名】００７０
【補正方法】変更
【補正の内容】
【００７０】
（参考例）
図８は、参考例に係るマルチディスプレイ装置の構成を示すブロック図である。図８に示すマルチディスプレイ装置２０は、９個のディスプレイ２１、および、マルチディスプレイ制御部２２を備えている。ディスプレイ２１は、第１の実施形態に係るディスプレイ１１と同様の構成を有する（図２を参照）。ただし、本参考例に係るディスプレイ２１は、エリアアクティブ駆動処理部１３に代えて、図９に示すエリアアクティブ駆動処理部２３を含んでいる。本参考例に係る構成要素のうち、第１の実施形態と同一の要素については、同一の参照符号を付して説明を省略する。
【手続補正２６】
【補正対象書類名】明細書
【補正対象項目名】００８１
【補正方法】変更
【補正の内容】
【００８１】
以下、従来のマルチディスプレイ装置と対比して、本参考例に係るマルチディスプレイ装置２０の効果を説明する。図１１Ａ〜図１１Ｅは、マルチディスプレイ装置２０の効果を説明するための図である。ここでは、従来のマルチディスプレイ装置とマルチディスプレイ装置２０が、図１１Ａに示す画像を表示する場合を比較する。図１１Ａに示す画像では、３２階調の背景の中に２００階調の白窓が含まれている。
【手続補正２７】
【補正対象書類名】明細書
【補正対象項目名】００８４
【補正方法】変更
【補正の内容】
【００８４】
これに対して、本参考例に係るマルチディスプレイ装置２０では、クリッピング検出部２３５とマルチディスプレイ制御部２２が図１０に示す動作を行う。これにより、クリッピングスケール値Ｑｓとして、図１１Ｂに示す９個の値の最大値である１．２が求められる。また、すべてのディスプレイＤ１〜Ｄ９において、液晶データＸ２は同じクリッピングスケール値１．２に基づき求められる（図１１Ｄを参照）。このため、ディスプレイＤ１、Ｄ４およびＤ７における液晶データＸ２は、ディスプレイＤ２、Ｄ３、Ｄ５、Ｄ６、Ｄ８およびＤ９の場合と同じく、クリッピングスケール値１．２で割った値となる。したがって、ディスプレイＤ１、Ｄ４およびＤ７の個別画面の輝度は、ディスプレイＤ２、Ｄ３、Ｄ５、Ｄ６、Ｄ８およびＤ９の個別画面に含まれる背景部分の輝度と同じになる（図１１Ｅを参照）。よって、ディスプレイ２１の個別画面間で輝度差や色度差の発生を防止し、マルチディスプレイ装置２０の全体画面に表示される画像の画質を改善することができる。
【手続補正２８】
【補正対象書類名】明細書
【補正対象項目名】００８５
【補正方法】変更
【補正の内容】
【００８５】
以上に示すように、本参考例に係るマルチディスプレイ装置２０は、第１の実施形態に係るマルチディスプレイ装置１０と同様の構成を有する。エリアアクティブ駆動処理部２３は、個別制御情報として個別クリッピングスケール値Ｑｉを求めて、マルチディスプレイ制御部２２に送信する。マルチディスプレイ制御部２２は、エリアアクティブ駆動処理部２３から受信した個別クリッピングスケール値Ｑ１〜Ｑ９に基づき全体制御情報としてクリッピングスケール値Ｑｓを求めて、エリアアクティブ駆動処理部２３に送信する。エリアアクティブ駆動処理部２３は、マルチディスプレイ制御部２２から受信したクリッピングスケール値Ｑｓに基づき、液晶データＸ２（表示用データ）を求める。
【手続補正２９】
【補正対象書類名】明細書
【補正対象項目名】００８６
【補正方法】変更
【補正の内容】
【００８６】
このように本参考例に係るマルチディスプレイ装置２０では、エリアアクティブ駆動処理部２３は、マルチディスプレイ制御部２２で求めたクリッピングスケール値Ｑｓに基づき、液晶データＸ２を求める。これにより、すべてのディスプレイ２１において、同じクリッピングスケール値Ｑｓを用いて液晶データＸ２を求めることができる。したがって、ディスプレイ２１の表示画面間でクリッピングスケール値の差に起因する輝度差や色度差の発生を防止し、マルチディスプレイ装置２０の表示画像の画質を改善することができる。
【手続補正３０】
【補正対象書類名】明細書
【補正対象項目名】００８８
【補正方法】変更
【補正の内容】
【００８８】
なお、本参考例では、エリアアクティブ駆動処理部２３は個別制御情報として個別クリッピングスケール値Ｑｉを求め、マルチディスプレイ制御部２２は全体制御情報としてクリッピングスケール値Ｑｓを求めることとした。これに代えて、エリアアクティブ駆動処理部は個別制御情報として、液晶パネルの光透過率制御に関する、個別クリッピングスケール値Ｑｉ以外の情報を求め、マルチディスプレイ制御部は当該情報に対応した全体制御情報を求めてもよい。このように構成されたマルチディスプレイ装置では、エリアアクティブ駆動処理部は、マルチディスプレイ制御部で求めた全体制御情報に基づき、液晶パネルの光透過率を制御する。これにより、すべてのディスプレイにおいて、同じ制御情報に基づき液晶パネルの光透過率を制御することができる。したがって、ディスプレイの表示画面間で液晶パネルの光透過率制御の差に起因する輝度差や色度差の発生を防止し、マルチディスプレイ装置の表示画像の画質を改善することができる。
【手続補正３１】
【補正対象書類名】明細書
【補正対象項目名】００８９
【補正方法】変更
【補正の内容】
【００８９】
（第２の実施形態）
図１２は、本発明の第２の実施形態に係るマルチディスプレイ装置の構成を示すブロック図である。図１２に示すマルチディスプレイ装置３０は、９個のディスプレイ３１、および、マルチディスプレイ制御部３２を備えている。ディスプレイ３１は、第１の実施形態に係るディスプレイ１１と同様の構成を有する（図２を参照）。ただし、本実施形態に係るディスプレイ３１は、エリアアクティブ駆動処理部１３に代えて、図１３に示すエリアアクティブ駆動処理部３３を含んでいる。本実施形態に係る構成要素のうち、第１の実施形態および参考例と同一の要素については、同一の参照符号を付して説明を省略する。
【手続補正３２】
【補正対象書類名】明細書
【補正対象項目名】００９１
【補正方法】変更
【補正の内容】
【００９１】
発光輝度算出部１３１、最低発光輝度補償部１３２、表示輝度算出部１３３、および、液晶データ算出部１３４は、第１の実施形態と同様に動作する。クリッピング検出部２３５と液晶データ再算出部２３６は、参考例と同様に動作する。マルチディスプレイ制御部３２は、第１の実施形態に係るマルチディスプレイ制御部１２の動作と、参考例に係るマルチディスプレイ制御部２２の動作の両方を行う。より詳細には、マルチディスプレイ制御部３２は、まずステップＳ１２１〜Ｓ１２３（図５）を実行し、次にステップＳ２２１〜Ｓ２２３（図１０）を実行する。
【手続補正３３】
【補正対象書類名】明細書
【補正対象項目名】００９２
【補正方法】変更
【補正の内容】
【００９２】
以上に示すように、本実施形態に係るマルチディスプレイ装置３０は、第１の実施形態および参考例に係るマルチディスプレイ装置１０、２０と同様の構成を有する。エリアアクティブ駆動処理部３３は、個別制御情報として個別最低発光輝度補償値Ｐｉと個別クリッピングスケール値Ｑｉを求めて、マルチディスプレイ制御部３２に送信する。マルチディスプレイ制御部３２は、エリアアクティブ駆動処理部３３から受信した個別最低発光輝度補償値Ｐ１〜Ｐ９と個別クリッピングスケール値Ｑ１〜Ｑ９に基づき、全体制御情報として最低発光輝度補償値Ｐｓとクリッピングスケール値Ｑｓを求めて、エリアアクティブ駆動処理部３３に送信する。エリアアクティブ駆動処理部３３は、マルチディスプレイ制御部３２から受信した最低発光輝度補償値Ｐｓに基づき、バックライト２の発光輝度を補正すると共に、マルチディスプレイ制御部３２から受信したクリッピングスケール値Ｑｓに基づき、液晶データＸ２を求める。
【手続補正３４】
【補正対象書類名】明細書
【補正対象項目名】００９５
【補正方法】変更
【補正の内容】
【００９５】
また、第１および第２の実施形態並びに参考例では、マルチディスプレイ制御部をディスプレイの外部に設けることとしたが、マルチディスプレイ制御部を各ディスプレイに内蔵させてもよい。この場合、複数のディスプレイに含まれる複数のマルチディスプレイ制御部のうち１個だけを動作させる方法と、複数を動作させる方法とが考えられる。前者の方法を実現するためには、複数のマルチディスプレイ制御部のうち１個だけが動作し、残余は動作しないように設定すればよい。後者の方法を実現するためには、第１および第２の実施形態並びに参考例に係るマルチディスプレイ制御部と同じ機能を果たすように、複数のマルチディスプレイ制御部を協調動作させればよい。
【手続補正３５】
【補正対象書類名】特許請求の範囲
【補正対象項目名】全文
【補正方法】変更
【補正の内容】
【特許請求の範囲】
【請求項１】
マルチディスプレイ方式の画像表示装置であって、
それぞれが表示パネルと、バックライトと、エリアアクティブ駆動を行う個別制御部とを含む複数の画像表示部と、
前記個別制御部との間で制御情報を送受信する全体制御部とを備え、
前記個別制御部は、個別にエリアアクティブ駆動を行うときの制御情報である個別制御情報を求めて、前記全体制御部に送信し、
前記全体制御部は、前記個別制御部から受信した個別制御情報に基づき装置全体の制御情報である全体制御情報を求めて、前記個別制御部に送信し、
前記個別制御部は、前記全体制御部から受信した全体制御情報に基づき動作し、
前記個別制御情報および前記全体制御情報は、前記バックライトの輝度制御に関する情報として、前記バックライトの最低発光輝度を示す最低発光輝度補償値を含み、
前記個別制御部は、前記全体制御部から受信した最低発光輝度補償値に基づき、前記バックライトの発光輝度を補正することを特徴とする、画像表示装置。
【請求項２】
前記全体制御部は、前記個別制御部から受信した最低発光輝度補償値の最大値を前記個別制御部に送信することを特徴とする、請求項１に記載の画像表示装置。
【請求項３】
前記個別制御部は、入力画像の平均輝度レベルに基づき、前記全体制御部に送信する最低発光輝度補償値を求めることを特徴とする、請求項１に記載の画像表示装置。
【請求項４】
それぞれが表示パネルとバックライトと個別制御部とを含む複数の画像表示部と、全体制御部とを用いたマルチディスプレイ方式の画像表示方法であって、
前記個別制御部が、個別にエリアアクティブ駆動を行うときの制御情報である個別制御情報を求めて、前記全体制御部に送信するステップと、
前記全体制御部が、前記個別制御部から受信した個別制御情報に基づき装置全体の制御情報である全体制御情報を求めて、前記個別制御部に送信するステップと、
前記個別制御部が、前記全体制御部から受信した全体制御情報に基づきエリアアクティブ駆動を行うステップとを備え、
前記個別制御情報および前記全体制御情報は、前記バックライトの輝度制御に関する情報として、前記バックライトの最低発光輝度を示す最低発光輝度補償値を含み、
前記エリアアクティブ駆動を行うステップにおいて、前記個別制御部は、前記全体制御部から受信した最低発光輝度補償値に基づき、前記バックライトの発光輝度を補正することを特徴とする、画像表示方法。
【国際調査報告】
2012133084.tif 000025
2012133084.tif 000026
2012133084.tif 000027
2012133084.tif 000028